(57)【特許請求の範囲】
【請求項１】
開口部を有する袋体と、前記袋体の内部に収納されるホルダーと、前記ホルダーに着脱自在に設けられる発熱体と、前記袋体の前記開口部を開放閉塞するファスナーとを備え、
前記袋体は、プラスチック製不織布の外層部と、プラスチック製不織布の内層部と、前記外層部と前記内層部との間に配置され、かつ、通気性、保温性及び弾性を有する中間層部とが積層された生地から構成され、前記生地の中間部分を折り曲げるとともに、側部を超音波シールすることで形成され、
前記外層部、前記中間層部及び前記内層部は、キルティングで縫製され、
前記ホルダーは、弾性力を有し両面に切込がそれぞれ直線状に形成される板状部材から構成され、
前記ファスナーは、前記開口部の互いに対向する部分に超音波シールされる帯状部と、前記帯状部のうちの一方と一体形成された雄部と、他方と一体形成された雌部とを備え、
前記発熱体は、前記ホルダーの一面において、前記切込を境に２個貼り付けられている
ことを特徴とする座布団。
【請求項２】
請求項１に記載された座布団において、
前記発熱体は、袋内に空気の存在下で酸化発熱する発熱組成物が封入された使い捨てカイロを備えた
ことを特徴とする座布団。
【請求項３】
請求項１又は請求項２に記載された座布団において、
前記中間層部は、プラスチック製ファイバーから形成される
ことを特徴とする座布団。
【発明の詳細な説明】
【技術分野】
【０００１】
本発明は、座布団に関する。
【背景技術】
【０００２】
室内だけでなく、釣り等のレジャー、スポーツ観戦等の室外でも座布団が利用されている。
座布団の従来例として、硬質スポンジ等の板体に打ち抜き部分を設け、この打ち抜き部分に使い捨てカイロを収納し、板体の両面に通気性を有する軟質スポンジの板体を配置し、全体を合成樹脂被膜で被覆したものがある（特許文献１）。
【０００３】
座布団の他の従来例として、座布団の外側に開口部を設け、この開口部をファスナー部で開閉自在とするとともに、開口部から内部に布団綿又はスポンジを挿入し、布団綿又はスポンジの空間に取り替え自在な使い捨てカイロが貼り付けられた金属板を挿入したものがある（特許文献２）。
【先行技術文献】
【特許文献】
【０００４】
【特許文献１】実願昭６２−１５３９３１号（実開平１−５９４５１号公報）のマイクロフィルム
【特許文献２】特開２００１−２０４５８９号公報
【発明の概要】
【発明が解決しようとする課題】
【０００５】
特許文献１の従来例では、合成樹脂被膜で全周を覆う構成であり、使い捨てカイロでの発熱がなくなったら、座布団全体が使い捨てにされる。座布団には、使い捨てカイロ以外の部品は使用できるものもあり、座布団全体を捨てると、資源の無駄遣いとなり、リサイクル、リユースの観点から改善が望まれる。
特許文献２の従来例では、座った際に、痛く感じないようにするために、布団綿やスポンジが必要とされるので、製造コストが高いものとなる。
【０００６】
本発明の目的は、部品の再利用が可能となるとともに製造コストを低く抑えることができる座布団を提供することにある。
【課題を解決するための手段】
【０００７】
本発明の座布団は、開口部を有する袋体と、前記袋体の内部に収納されるホルダーと、前記ホルダーに着脱自在に設けられる発熱体と、前記袋体の開口部を開放閉塞するファスナーとを備え、前記袋体は、プラスチック製不織布の外層部と、プラスチック製不織布の内層部と、前記外層部と前記内層部との間に配置され、かつ、通気性、保温性及び弾性を有する中間層部とを備え、前記外層部、前記中間層部及び前記内層部は、キルティングで縫製されることを特徴とする。
【０００８】
本発明では、発熱体が取り付けられたホルダーを、袋体の開口部から内部に収納し、その後、ファスナーで開口部を閉じる。
発熱体から生じる熱は、袋体の内層部、中間層部及び外層部を通って外部に伝達されるが、これらの層は熱を伝えることができる。しかも、袋体はキルティングで縫製されているので、袋体の縫製されていない領域は、確実に、発熱体の熱を外部に伝達することができる。そのため、座布団を使用する使用者は、袋体から加熱体の熱を感じることができる。
発熱体を交換するには、ファスナーで袋体の開口部を明け、この開口部から発熱体が取り付けられたホルダーを取り出す。ホルダーに取り付けられた発熱体を交換したら、再度、ホルダーを開口部から袋体の内部に収納し、ファスナーで開口部を閉じる。
従って、本発明では、発熱体以外の部品を再利用できるので、座布団自体を使い捨てする従来例に比べて、経済的である。さらに、袋体の内部に綿等を収納することが不要とされるので、この点からも経済的である。
しかも、袋体の中間層部に弾力性を持たせているので、袋体内部にあるホルダーや発熱体の硬さが直接伝わらず、良好な使用感を得ることができる。
【０００９】
本発明では、前記発熱体は、袋内に空気の存在下で酸化発熱する発熱組成物が封入された使い捨てカイロである構成が好ましい。
この構成では、袋入りの使い捨てカイロを別途用意し、使用にあたり、袋から取り出した使い捨てカイロをホルダーに取り付けて、袋体に収納する。使い捨てカイロは、保温時間も長く、使い捨てタイプではないカイロに比べて、メンテナンスが不要とされる。
【００１０】
本発明では、前記中間層部は、プラスチック製ファイバーから形成される構成が好ましい。
この構成では、通気性、弾力性、保温性を有する中間層部を簡易な構成で実現することができる。
【図面の簡単な説明】
【００１１】
【図１】本発明の一実施形態にかかる座布団の正面図。
【図２】座布団の断面図。
【図３】袋体の断面図。
【図４】変形例のホルダーを示す斜視図。
【発明を実施するための形態】
【００１２】
本発明の一実施形態を図面に基づいて説明する。
図１及び図２は本実施形態の全体構成を示す。
図１及び図２において、座布団１は、開口部２０を有する袋体２と、袋体２の内部に収納されるホルダー３と、ホルダー３に着脱自在に設けられる発熱体４と、開口部２０を開閉するファスナー５とを備えて構成されている。
袋体２は、１枚の長方形の生地の中間部分を折り曲げて底部２Ａを形成するとともに、底部２Ａの両端からそれぞれ直交する側部２Ｂが超音波シールされている。
開口部２０は袋体２の底部２Ａと対向する部分であり、直線状に形成されている。
【００１３】
ホルダー３は、スポンジや発泡ウレタン等からなる弾力性を有する平面矩形状の板状部材であり、開口部２０と平行に切込３０が両面にそれぞれ直線上に形成されている。これらの切込３０により、ホルダー３は、真ん中で２つに折り曲げ可能とされる。
発熱体４は、ホルダー３の一面において、切込３０を境に２個取り付けられている。
発熱体４は、扁平状の袋４１と、袋４１の内部に封入され空気の存在下で酸化発熱する発熱組成物４２と、袋４１をホルダー３に取り付けるための面状部４３とを備えた市販の使い捨てカイロである。
なお、本実施形態では、発熱体４のホルダー３への着脱を容易にするために、発熱体４を剥離しやすいシート（図示せず）をホルダー３に設けてもよい。
【００１４】
袋４１は、通気性を有する素材から形成されている。
発熱組成物４２は、公知の使い捨てカイロに使用される発熱組成物であり、例えば、酸化性金属として鉄、アルミニウム、マグネシウム、亜鉛などがあげられ、活性炭として木質系活性炭、ヤシ殻系活性炭、石炭系活性炭等が挙げられる。発熱体４である使い捨てカイロを収納する包装袋（図示せず）から取り出すことで、空気に触れた発熱組成物４２が酸化発熱する。
面状部４３は、ホルダー３に対向する面が貼付面とされ、この貼付面は、通気性層又は非通気性層、粘着剤層及び剥離紙からなる。ホルダー３に貼り付けられた面状部４３は、ホルダー３から剥がすことが可能とされる。
【００１５】
ファスナー５は、開口部２０の互いに対向する部分に超音波シールされた帯状部５１と、これらの帯状部５１のうち一方に設けられた雄部５２Ａと、他方に設けられた雌部５２Ｂとを備えている。
一方の帯状部５１と雄部５２Ａとはプラスチックから一体形成されており、雄部５２Ａは帯状部５１の長手方向に沿って延びている。
他方の帯状部５１と雌部５２Ｂとはプラスチックから一体形成されており、雌部５２Ｂは帯状部５１の長手方向に沿って延びている。
雄部５２Ａと雌部５２Ｂとが互いに嵌合離脱可能である。
【００１６】
図３には袋体２の断面が示されている。
図３において、袋体２は、袋外部に露出する外層部２１と、袋内部に露出する内層部２２と、外層部２１と内層部２２との間に配置された中間層部２３とが積層された断面構造である。
外層部２１と内層部２２とは、それぞれプラスチック製不織布、例えば、ポリプロピレン製の不織布から形成されている。
中間層部２３は、通気性、保温性及び弾性を有する構成であり、具体的には、プラスチック製ファイバーから構成されている。プラスチック製ファバーとしては、ポリエチレン製ファイバーを例示できる。なお、中間層部２３は、ポリプロピレン、ポリエチレン、ポリエステルの複合素材からなる不織布から構成されるものでもよい。
外層部２１、中間層部２３及び内層部２２は、それぞれプラスチック製であるため、超音波によるキルティングで縫製されている。キルティングは、平面格子状に形成されている（図１参照）。
【００１７】
以上の構成の座布団１では、市販の使い捨てカイロからなる発熱体４を２個用意する。２個の発熱体４を袋から取り出して発熱可能な状態にし、２個の発熱体４の面状部４３をホルダー３にそれぞれ貼り付ける。発熱体４が貼り付けられたホルダー３を袋体２の開口部２０から内部に収納し、ファスナー５の雄部５２Ａと雌部５２Ｂとを嵌合して開口部２０を閉じる。
ファスナー５で開口部２０が閉じられていても、袋体２を構成する外層部２１及び内層部２２が不織布から形成されており、中間層部２３が通気性を有するため、袋体２の外部の空気が内部に通ることになる。そのため、発熱体４は空気に触れることが可能となり、発熱を続けることになる。
【００１８】
使用者は、屋外等で、座布団１の上に座ると、発熱体４から生じる熱は、袋体２の内層部２２、中間層部２３及び外層部２１を通って使用者に伝わる。袋体２はキルティングで縫製されているので、袋体２の縫製されていない領域から発熱体４の熱が使用者に確実に伝わる。
発熱体４は市販の使い捨てカイロからなるので、発熱時間に限界がある。発熱体４からの発熱がなくなったら、ファスナー５の雄部５２Ａと雌部５２Ｂとを離脱して袋体２の開口部２０を明ける。開口部２０から発熱体４が貼り付けられたホルダー３を取り出し、使用済みの発熱体４をホルダー３から剥がす。そして、未使用の発熱体４をホルダー３に貼り付け、再度、ホルダー３を開口部２０から袋体２の内部に収納し、ファスナー５で開口部２０を閉じる。
【００１９】
従って、本実施形態では、次の効果を奏することができる。
（１）開口部２０を有する袋体２と、袋体２の内部に収納されるホルダー３と、ホルダー３に着脱自在に設けられる発熱体４と、袋体２の開口部２０を開放閉塞するファスナー５とを備えて座布団１を構成する。袋体２は、それぞれプラスチック製不織布の内層部２２及び外層部２１と、これらの層の間に配置され、かつ、通気性、保温性及び弾性を有する中間層部２３とを有し、内層部２２、中間層部２３及び外層部２１がキルティングで縫製される。袋体２を構成する中間層部２３に弾力性を持たせているので、発熱体４の硬さが使用者に直接伝わることがなく、良好な使用感を得ることができる。そして、発熱体４の交換に際して、発熱体４以外の部品を再利用できるので、座布団自体を使い捨てする従来例に比べて、経済的である。しかも、良好な使用感を持たせるため、袋体２の中間層部２３に弾性を持たせているので、袋体２の内部に綿等を収納することが不要となり、この点からも経済的である。
【００２０】
（２）発熱体４は使い捨てカイロであるから、保温時間も長く、使い捨てタイプではないカイロに比べて、メンテナンスが不要とされる。しかも、使い捨てカイロはコンビニエンスストア等、屋外の施設で容易に調達可能であるため、座布団１を屋外で容易に使用することができる。
（３）中間層部２３は、プラスチック製ファイバーから形成されれば、通気性、弾力性、保温性を有する中間層部２３を簡易な構成で実現することができる。
【００２１】
（４）ホルダー３は、その一面に発熱体４が貼り付けられる。そのため、発熱体４を通じて使用者の重さがホルダー３に伝わったとしても、その重さをホルダー３が弾性変形して吸収するので、発熱体４の硬さを使用者が感じにくいものとなる。
（５）ホルダー３は、その中心部分に切込３０が形成されており、かつ、切込３０を境に２個の発熱体４がホルダー３に貼付されている。そのため、切込３０を境にして座布団１を折り曲げることが可能となる。
【００２２】
なお、本発明は前述の実施形態に限定されるものではなく、本発明の目的を達成できる範囲での変形、改良等は本発明に含まれるものである。
例えば、前記実施形態では、ホルダー３を発熱体４が貼付されるための面を有する板状部材としたが、本発明では、ホルダー３の形状はこれに限定されず、例えば、図４に示されるものでもよい。
【００２３】
図４において、ホルダー６は、発泡ウレタン等の硬質材料から板状に形成されており、その中心部分に形成された切込３０を境に２つの収納孔６１が形成されている。収納孔６１は、発熱体４Ａが収納される孔である。発熱体４Ａは、袋４１の内部に発熱組成物４２が収納されたタイプの使い捨てカイロである（図２参照）。この使い捨てカイロは、前記実施形態の貼るタイプの使い捨てカイロではなく、使用者のポケット等に収納するタイプの使い捨てカイロである。
【００２４】
収納孔６１の互いに対向する内面には、発熱体４Ａを取り出しやすくするための切欠部６２が形成されている。切欠部６２は、指の先端が入る形状や大きさであれば、その具体的な形状は限定されない。図４では、山形の切欠部６２が図示されているが、円弧状でも、矩形状でもよい。
さらに、図４の想像線で示される通り、ホルダー６の一面に板部６３を一体形成したものでもよい。
さらに、図４の実線で示されるホルダー６の両面にそれぞれ弾性を有する板材（図示せず）をそれぞれ配置したものでもよい。
【００２５】
さらに、前記実施形態では、発熱体４は使い捨てカイロとしたが、使い捨てタイプではないカイロでもよく、さらには、発熱体４として加温するための熱を発生させるタイプではなく、冷却するためのタイプであってもよい。
また、座布団１の平面形状は、矩形に限定されず、円形でもよい。座布団を円形にした場合、座布団１の平面形状に合わせて、ファスナーの形状を円弧状に形成する。
【００２６】
ファスナーは種々の構造のものを採用できる。例えば、ファスナーを被服に用いられるものであって、複数のファスナーエレメントから構成される一対のファスナーエレメント列と、ファスナーエレメント列を噛合・分離させるスライダーと、ファスナーエレメントに取り付け可能な止具と、を有するスライドファスナーを用いてもよく、さらには、複数のボタンを用いてもよい。
【符号の説明】
【００２７】
１…座布団、２…袋体、２０…開口部、２１…外層部、２２…内層部、２３…中間層部、２Ａ…底部、２Ｂ…側部、３，６…ホルダー、３０…切込、４…発熱体、４１…袋、４２…発熱組成物、４３…面状部、４Ａ…発熱体、５…ファスナー、５１…帯状部、５２Ａ…雄部、５２Ｂ…雌部
【図１】
0006749760.tif 000002
【図２】
0006749760.tif 000003
【図３】
0006749760.tif 000004
【図４】
0006749760.tif 000005